(57)【要約】      （修正有）【課題】調剤薬局において７日分、あるいは１０日分の両方を処方する可能性がある医薬品について、14錠シートと10錠シートの両方を用意する必要が無く、一つのＰＴＰシートにおいていずれのパターンにも対応が可能となるＰＴＰシートの提供。【解決手段】１シート中に、計３５個あるいは計７０個、錠剤を配し、それに適当にミシン目を入れることにより、７日分であろうと１０日分であろうと１種類のPTPシートで処方対応が可能となった。また、そこに適当なミシン目を入れることにより、一つの製品を複数のバリエーションに分けて利用できるため、作業効率等も向上した。【選択図】図１
2006280825.tif 000002
【特許請求の範囲】
【請求項１】
医薬品のＰＴＰシート包装体であって、7日分あるいは10日分をどちらでも容易に分けられるように、3５錠の錠剤を、縦に7個（７列）、横に５個（５列）配し、それぞれ適当に分割可能なミシン目を配した３５錠ＰＴＰシート。
【請求項２】
医薬品のＰＴＰシート包装体であって、7日分あるいは10日分をどちらでも容易に分けられるように、縦に7個（７列）、横に１０個（１０列）配し、それぞれ適当に分割可能なミシン目を配した７０錠ＰＴＰシート。
【請求項３】
請求項２に記載のPTPシートにおいて、さらに２つの３５錠シートに分割可能な中央部ミシン目を配した７０錠ＰＴＰシート。
【発明の詳細な説明】
【技術分野】
【０００１】
本発明は、１週間処方するケースであろうと、１０日分処方するケース（あるいは３０日分または６０日分といった長期間分まとめて処方するケースであっても）のいずれのケースでも、一つのシートで対応が可能な、調剤薬局等における医薬品の調剤および在庫管理等に適したＰＴＰ包装に関するものである。
【背景技術】
【０００２】
医薬品の錠剤やカプセル剤の包装では、吸湿等による製品の品質劣化を防止すると共に、製品を取り出しやすくするため、ＰＴＰ（Press Through Package）シートが用いられている。
【０００３】
医薬分業の拡大に伴い、調剤薬局では、多くの医療機関からの処方箋が持ち込まれる傾向が増え、そのため、少量多種の在庫を抱える必要性に迫られている。更に、生活習慣病に代表される慢性疾患用医薬品は、長期投与される例が多い。医師は、医薬品の投与日数を次回来院に合わせて決めるが、多くが１週間単位あるいは１０日（の倍数）単位である。これにあわせて、医薬品のＰＴＰシートは、錠剤１０錠、あるいは１４錠を１シートとし、それを５シートあるいは７シートまとめてピロー包装することにより、５０錠あるいは７０錠を小箱包装したものが一般的である。
しかしながらこのようなPTPシート１シートが１０錠の場合には、1週間分処方しようとするとあまりが出てしまうことになる。それとは逆に、14錠が1シートのケースでは10日分処方しようとするとやはり中途半端なあまりを生じてしまうことになる。従って、このように1週間分あるいは10日分の両方で処方する可能性がある医薬品については、10錠シートと14錠シートの両方を準備しておくことは、上述の在庫管理面で現実的ではなく、どちらか一方のみで対応しなければならない。
一方で、製薬企業側も薬局側のニーズにあわせて、10錠シートと14錠シートの両方の包装形態を販売する事例が多く、それぞれ小包装から大包装まで用意すると、1製品について6〜7種の包装を販売することとなり、無用のコストを負担することとなる。
【０００４】
このような状況を改善する為の、ＰＴＰシートの形状について、様々提案がなされている。例えば、特開平10-273162では、１シート１２錠のシートにおいて、ミシン目ので錠剤を分割する際の最小単位を、2個と3個を混在させるような、ミシン目をいれたシートが提案されている。
【０００５】
しかし、該発明では、２錠と３錠を最小単位として混在させる為、シートを分割する為のミシン目が、縦あるいは横のいずれかで連続性を持っておらず、途中で切れ目がない構造が提案されている。しかし、機械的に中途半端なミシン目を入れることは、包装コストが上昇してしまう。さらに、ミシン目の連続性が無いと、手で折り分ける際にも向きを変えなければならないなど、薬局における調剤効率が悪く実用性に欠けるものであった。
それ以外にも、ＰＴＰシートの工夫による誤飲防止の対応などの方法等が提案されているが、先の問題を根本的な解決には至っていないものである。  
【０００６】
さらに、現在、環境問題への対応のため、ＰＴＰ包装の材質が、ＰＶＣ（ポリ塩化ビニル）からＰＰ（ポリプロピレン）に変更されており、ＰＰの特性上、手による切断が難しくなっている。従って、半端なシートを処方しなければいけない調剤作業において、鋏で切断しなければならないため、余計な作業が必要となっており、調剤作業の手間の軽減と安全性向上のため有意義な包装形態が望まれている。
【特許文献１】特開平１０−２７３１６２号公報
【特許文献２】特開２０００-７０２３号公報
【特許文献３】特開２００２-１１９５７４号公報
【発明の開示】
【発明が解決しようとする課題】
【０００７】
解決しようとする課題は、調剤薬局において７日分、あるいは１０日分の両方を処方する可能性がある医薬品について、14錠シートと10錠シートの両方を用意する必要が無く、一つのＰＴＰシートにおいていずれのパターンにも対応が可能となるＰＴＰシートである。
【課題を解決するための手段】
【０００８】
本発明は、まず第一の発明として、７日分および１０日分の両方に対応することが可能な、３５錠を１シートとし、さらにそのシートに、適切なミシン目を入れることにより、鋏等を使用する必要がなく全てミシン目で分割できることを特徴とするＰＴＰシートである。
【０００９】
本発明の第２の発明は、７日分および１０日分の両方に対応することが可能な、７０錠ＰＴＰシートである。
本発明の第３の発明としては、第２の発明においてにおいて、中央部に二つの３５錠シートに分割可能なミシン目および誤飲防止スペースを設けた７０錠ＰＴＰシートである。
【発明の効果】
【００１０】
本発明のＰＴＰシートは７日分およびその倍数処方するケースであろうと、１０日分あるいはその倍数分処方するケースであろうといずれも一種類のＰＴＰシートにより処方することが可能となった。
【発明を実施するための最良の形態】
【００１１】
本発明のＰＴＰシートでは、1シート中に３５錠あるいは７０錠を配置すると共に、それらを適当なミシン目を加えて分割可能とし、さらに誤飲防止スペースを設けることで実現した。
【実施例１】
【００１２】
図１は、本発明の３５錠ＰＴＰシートである。
（図１） 
2006280825.tif 000003
【実施例２】
【００１３】
図２は、本発明の７０錠ＰＴＰシートである。
（図２）
2006280825.tif 000004
【実施例３】
【００１４】
図３は、本発明の７０錠ＰＴＰシートにおいて中央で２つの３５錠PTPシートに分割可能なミシン目と誤飲防止スペースを設けた７０錠PTPシートである。
（図３）
2006280825.tif 000005
【図面の簡単な説明】
【００１５】
【図１】３５錠ＰＴＰシートの実施例を示した説明図である。（実施例１）
【図２】７０錠ＰＴＰシートの実施例を示した説明図である。（実施例２）
【図３】中央で２つの３５錠ＰＴＰシートに分割可能な７０錠ＰＴＰシートの実施例を示した説明図である。（実施例３）
【符号の説明】
【００１６】
１    錠剤
２    ミシン目
３    誤飲防止スペース
【図１】
2006280825.tif 000006
【図２】
2006280825.tif 000007
【図３】
2006280825.tif 000008